(57)【要約】      （修正有）【課題】煮汁が噴きこぼれなく、又、形崩せず内容物を取り出すことのできる、魚の姿煮に適した調理用鍋を提供する。【解決手段】比較的浅い鍋本体の上部に、前記鍋本体の上縁全周の内側に重なる部分を持つ円筒部品を載置した。必要に応じて、前記円筒部品と前記鍋本体をレバー式バックル又はボルト又は爪状突起を傾斜した溝に嵌めて回転させることによって固定できる構造にした。【選択図】図２
0003143687.tif 000002
【実用新案登録請求の範囲】
【請求項１】
比較的浅い鍋本体と、前記鍋本体の上縁全周の内側に重なりかつ前記上縁に当接して載置した円筒部品からなる調理用鍋。
【請求項２】
前記円筒部品が前記鍋本体に複数個のレバー式バックルによって固定できる構造になっていることを特徴とする請求項１に記載した調理用鍋。
【請求項３】
前記円筒部品と前記鍋本体が側面に配置した複数本のボルトによって固定できる構造になっていることを特徴とする請求項１に記載した調理用鍋。
【請求項４】
前記円筒部品と前記鍋本体の一方に設けた突起が他方に設けた傾斜した溝状部分に嵌合し、前記円筒部品と前記鍋本体を相対的に回転させることにより、両者を締付けできる構造になっていることを特徴とする請求項１に記載した調理用鍋。
【考案の詳細な説明】
【技術分野】
【０００１】
本考案は、魚の姿煮等を煮込む際に適した調理用鍋に関する。
【背景技術】
【０００２】
従来、噴きこぼれを防止する方法として、例えば特許文献１のように蓋の外側にこぼれた汁をためる方式の考案がなされている。
また、特許文献２では調理中の油の飛散を防止する目的で、円筒状の調理用ガードをフライパンや鍋の上部に装着する考案がなされている。
【特許文献１】実開平３−９２４１６号公報
【特許文献２】実登３０１０１４５号公報
【考案の開示】
【考案が解決しようとする課題】
【０００３】
例えば魚の姿煮を作る際には、煮汁が噴き上がるので深めの鍋で煮込む必要があるが、煮上がった魚を形崩れしないように取り出すには、浅い鍋のほうが都合が良い。本考案は上記のような矛盾を解決することにある。
【課題を解決するための手段】
【０００４】
比較的浅い鍋本体の上部に、前記鍋本体の上縁全周の内側に重なる部分を持つ円筒部品を載置した。
【０００５】
必要に応じて、前記円筒部品と前記鍋本体をレバー式バックル又はボルト又は爪状突起を傾斜した溝に嵌めて回転させることによって固定できる構造にした。
【考案の効果】
【０００６】
魚の姿煮を煮る際には、魚と煮汁を鍋本体より浅くなるようにして入れ、落とし蓋をして、煮汁が魚の上を循環するようにして煮込むので、鍋本体と円筒部品の接続部にはほとんど圧力がかからない。
従って、円筒部品を鍋本体の上縁内周側に重なるように設置することにより煮汁がこぼれるのを防ぐことができる。
【０００７】
煮上がったら、円筒部を外すことにより鍋が浅くなるので、魚の下に箸やへらを容易に挿入でき、魚を形崩れなく取り出すことができる。
【０００８】
円筒部品と鍋本体の接続部はシンプルな構造なので容易に洗うことができる。
【０００９】
円筒部品と鍋本体をレバー式バックル又はボルト又は爪状突起を傾斜した溝に嵌めて回転させることによって固定することにより、円筒部品を持って鍋全体を移動させることも可能になり、又、円筒部品と鍋本体の当接面に耐熱性のパッキンを挟むことにより、通常の深鍋としても使用できる。
【考案を実施するための最良の形態】
【００１０】
図１〜図７を用いて具体的な構造について説明する。
【００１１】
図１は本考案による鍋本体に、魚とだし（酒、みりん、醤油など）と落とし蓋を入れた状態を示している。鍋本体は比較的浅いので材料の投入は容易である。
【００１２】
図２は鍋本体１の上縁２に当接して円筒部品３を載置し、炊きあげている状態を示している。煮汁が噴き上がるので軽い落とし蓋２２はある程度の高さまで浮き上がるが、円筒部品が十分に深いので煮汁が溢れることはない。
尚、落とし蓋を使用する際には、鍋内部の圧力上昇がほとんど無いので鍋本体１の内側に円筒部品３を延設して重なり部分４を設けることにより、接合部からの漏れを防ぐことができる。
【００１３】
図３は、魚の煮付けが完成し、円筒部品３を外した状態を示している。
魚は極めて柔らかくなっているが、鍋本体が浅いので魚の下にへらや箸を容易に入れることができるので形崩れすることなく取り出すことができる。
【００１４】
図４は、鍋本体１と円筒部品３をレバー式バックルで連結固定した状態を示している。
鍋本体１に溶接などにより固定された引っ掛け部品８に、締付け金具（バックル）７を引っ掛けてレバー６を起こすことにより、梃子の原理で締付けられる。
レバー６は鍋の取っ手としても利用できる。
【００１５】
図５は、鍋本体１と円筒部品３をボルトで連結固定した状態を示している。
鍋本体１に溶接などにより固定されたボルトを挟む溝の付いた溝付部品１２に、ボルトの頭部１３を引っ掛けてボルトの手回し部１４を回転させることにより締付ける。
雌ねじ部品１１は筒状部品３に取付軸１１ａにて回動自在に取り付けられているので、ボルトを少し緩めて回転させれば、ボルトの頭部１３を溝付部品１２から容易に外すことができる。
ボルトの本数を増やすことにより大きな鍋にも対応することができる。
【００１６】
図６は、鍋本体１と円筒部品３を、爪状の突起を傾斜した溝に嵌めて回転させることによって連結固定した状態を示している。
鍋本体１の内側に形成した爪状の突起１５を、円筒部品の重なり部の外周側に形成した傾斜溝１６に嵌め込んで、取っ手１７と１８を持って鍋本体と円筒部品を相対的に回転させることにより、締付け固定できる構造にした。
尚、鍋本体側に溝を、円筒部品側に爪状突起を配置しても同様の効果が得られる。
【００１７】
図７は、鍋本体１と円筒部品３の当接面に耐熱パッキン２３を挟んだ例である。
耐熱パッキンを装着することにより、鍋内に多少の圧力がかかっても接合部から洩れることを防ぐことができるので、本考案による鍋の使用範囲を広げることができる。
耐熱パッキンとしては、金属、セラミック、炭素などを主成分としたものから適宜選定する。
【図面の簡単な説明】
【００１８】
【図１】本考案による鍋本体に魚とだし汁と落とし蓋を入れた状態
【図２】本考案による調理用鍋を用いて煮込んでいる状態
【図３】本考案による調理用鍋の円筒部品を外した状態
【図４】本考案による調理用鍋の実施例（レバー付バックルで固定する方法）
【図５】本考案による調理用鍋の実施例（ボルトで固定する方法）
【図６】本考案による調理用鍋の実施例（爪状突起と傾斜溝で固定する方法）
【図７】鍋本体と円筒部品の当接部に耐熱パッキンを装着した例
【符号の説明】
【００１９】
１    鍋本体
２    鍋本体の上縁
３    円筒部品
４    重なり部分
５    レバー式バックル
６    取っ手兼用のレバー
７    締付け金具
８    引っ掛け部品
９    ボルト
１０  雄ねじ部
１１  雌ねじ部品
１１ａ  雌ねじ部品の取付軸
１２  溝付部品
１３  ボルトの頭部
１４  ボルトの手回し部
１５  爪状突起
１６  傾斜溝
１７  鍋本体の取っ手
１８  円筒部品の取っ手
２０  魚
２１  だし汁
２２  落とし蓋（アルミホイルなど）
２３  耐熱パッキン
【図１】
0003143687.tif 000003
【図２】
0003143687.tif 000004
【図３】
0003143687.tif 000005
【図４】
0003143687.tif 000006
【図５】
0003143687.tif 000007
【図６】
0003143687.tif 000008
【図７】
0003143687.tif 000009